【手続補正書】
【提出日】平成17年3月3日(2005.3.3)
【手続補正１】
【補正対象書類名】明細書
【補正対象項目名】特許請求の範囲
【補正方法】変更
【補正の内容】
【特許請求の範囲】
【請求項１】
映像信号及び音声信号よりなる番組を記録媒体に記録すると共に再生する信号記録再生装置において、
前記番組の内容を理解するための特定画像を抽出する特定画像抽出手段と、
前記特定画像抽出手段で抽出された前記特定画像の少なくとも補助情報と、
前記番組のデータに記録のための処理を施して前記記録媒体に記録する記録データ処理手段と、
前記記録媒体から前記番組データ、前記特定画像の少なくとも補助情報を読み出して再生処理を施す再生データ処理手段と、
前記再生データ処理手段で再生された前記特定画像の少なくとも補助情報を基に、前記番組のデータの前記再生データ処理手段による再生を制御する再生制御手段と
を備えることを特徴とする信号記録再生装置。
【請求項２】
前記特定画像抽出手段は記録時にユーザの入力に応じた情報に基づいて前記番組の内容を理解するための特定画像を抽出することを特徴とする請求項１記載の信号記録再生装置。
【請求項３】
前記特定画像抽出手段は前記番組のデータに付加されてきた複数の画像の中からユーザが選択した画像に基づいて前記番組の内容を理解するための特定画像を抽出することを特徴とする請求項１記載の信号記録再生装置。
【請求項４】
前記再生制御手段はユーザの操作に応じ、前記特定画像の補助情報が示す特定画像を含む前記番組のデータの前記再生データ処理手段による再生を制御することを特徴とする請求項１記載の信号記録再生装置。
【請求項５】
前記記録データ処理手段は、前記特定画像抽出手段が抽出した特定画像の補助情報と共に前記特定画像のデータそのものも前記記録媒体に記録することを特徴とする請求項１記載の信号記録再生装置。
【請求項６】
前記記録データ処理手段は、前記特定画像のデータ及びその補助情報を前記番組のデータとは異なる領域に記録することを特徴とする請求項５記載の信号記録再生装置。
【請求項７】
前記特定画像抽出手段で抽出された前記特定画像のデータに表示のための処理を施す特定画像処理手段をさらに備え、前記再生制御手段は前記特定画像処理手段にて表示のための処理が施された前記特定画像データの表示に対するユーザの選択に応じて前記番組のデータの前記再生データ処理手段による再生を制御することを特徴とする請求項５記載の信号記録再生装置。
【請求項８】
映像信号及び音声信号よりなる番組を記録媒体に記録すると共に再生するための信号記録再生方法において、
前記番組の内容を理解するための特定画像を抽出する特定画像抽出工程と、
前記特定画像抽出工程で抽出された前記特定画像の少なくとも補助情報と、前記番組のデータに記録のための処理を施して前記記録媒体に記録する記録データ処理工程と、
前記記録媒体から前記番組のデータ、前記特定画像の少なくとも補助情報とを読み出して再生処理を施す再生データ処理工程と、
前記再生データ処理工程で再生された前記特定画像の少なくとも補助情報を基に、前記番組のデータの前記再生データ処理手段による再生を制御する再生制御工程と
を備えることを特徴とする信号記録再生方法。
【請求項９】
前記特定画像抽出工程は記録時にユーザの入力に応じた情報に基づいて前記番組の内容を理解するための特定画像を抽出することを特徴とする請求項８記載の信号記録再生方法。
【請求項１０】
前記特定画像抽出工程は前記番組のデータに付加されてきた複数の画像の中からユーザの入力に応じた画像に基づいて前記番組の内容を理解するための特定画像を抽出することを特徴とする請求項８記載の信号記録再生方法。
【請求項１１】
前記再生制御工程はユーザの操作に応じ、前記特定画像の補助情報が示す特定画像を含む前記番組のデータの前記再生データ処理工程による再生を制御することを特徴とする請求項８記載の信号記録再生方法。
【請求項１２】
前記記録データ処理工程は、前記特定画像工程手段が抽出した特定画像の補助情報と共に前記特定画像のデータそのものも前記記録媒体に記録することを特徴とする請求項８記載の信号記録再生装置。
【請求項１３】
前記記録データ処理工程は、前記特定画像のデータ及びその補助情報を前記番組のデータとは異なる領域に記録することを特徴とする請求項８記載の信号記録再生方法。
【請求項１４】
前記特定画像抽出工程で抽出された前記特定画像のデータに表示のための処理を施す特定画像処理工程をさらに備え、前記再生制御工程は前記特定画像処理工程にて表示のための処理が施された前記特定画像データの表示に対するユーザの選択に応じて前記番組のデータの前記再生データ処理工程による再生を制御することを特徴とする請求項１２記載の信号記録再生方法。
【請求項１５】
映像信号及び音声信号よりなる番組を記録媒体に記録すると共に再生する信号記録再生装置によって実行される信号記録再生プログラムを記録している媒体において、
前記番組の内容を理解するための特定画像を抽出する特定画像抽出工程と、
前記特定画像抽出工程で抽出された前記特定画像の少なくとも補助情報と、
前記番組のデータに記録のための処理を施して前記記録媒体に記録する記録データ処理工程と、前記記録媒体から前記番組のデータ、前記特定画像の少なくとも補助情報とを読み出して再生処理を施す再生データ処理工程と、
前記再生データ処理工程で再生された前記特定画像の少なくとも補助情報を基に、前記番組のデータの前記再生データ処理手段による再生を制御する再生制御工程と
を備えることを特徴とする信号記録プログラムを記録している媒体。
【請求項１６】
映像信号及び音声信号よりなる番組を記録媒体に記録すると共に再生する信号記録再生装置において、
少なくとも前記番組のデータに記録のための処理を施して前記記録媒体に記録する記録データ処理手段と、
前記記録媒体から前記番組のデータを読み出して再生処理を施す再生データ処理手段と、
前記再生データ処理手段からの前記番組データから前記番組の内容を理解するための特定画像を抽出する特定画像抽出手段と、
前記特定画像抽出手段で抽出された前記特定画像の少なくとも補助情報を基に、前記番組のデータの前記再生データ処理手段による再生を制御する再生制御手段と
を備えることを特徴とする信号記録再生装置。
【請求項１７】
前記再生制御手段は、ユーザによって所望された特定画像に対応する前記番組のデータを前記再生データ処理手段に自動再生させることを特徴とする請求項１６記載の信号記録再生装置。
【請求項１８】
前記特定画像抽出手段は、再生時にユーザの入力に応じた情報に基づいて前記番組の内容を理解するための特定画像を抽出することを特徴とする請求項１６記載の信号記録再生装置。
【請求項１９】
前記特定画像抽出手段は、再生時にユーザの入力に応じた画像に基づいて前記番組の内容を理解するための特定画像を抽出することを特徴とする請求項１６記載の信号記録再生装置。
【請求項２０】
前記特定画像抽出手段で抽出された前記特定画像のデータに表示のための処理を施す特定画像処理手段をさらに備え、前記再生制御手段は前記特定画像処理手段にて表示のための処理が施された前記特定画像データの表示に対するユーザの選択に応じて前記番組のデータの前記再生データ処理手段による再生を制御することを特徴とする請求項１６記載の信号記録再生装置。
【請求項２１】
映像信号及び音声信号よりなる番組を記録媒体に記録すると共に再生するための信号記録再生方法において、
少なくとも前記番組のデータに記録のための処理を施して前記記録媒体に記録する記録データ処理工程と、
前記記録媒体から前記番組のデータを読み出して再生処理を施す再生データ処理工程と、
前記再生データ処理工程からの前記番組データから前記番組の内容を理解するための特定画像を抽出する特定画像抽出工程と、
前記特定画像抽出工程で抽出された前記特定画像の少なくとも補助情報を基に、前記番組のデータの前記再生データ処理工程による再生を制御する再生制御工程と
を備えることを特徴とする信号記録再生方法。
【請求項２２】
前記再生制御工程は、ユーザによって所望された特定画像に対応する前記番組のデータを前記再生データ処理工程に自動再生させることを特徴とする請求項２１記載の信号記録再生方法。
【請求項２３】
前記特定画像抽出工程は、再生時にユーザの入力に応じた情報に基づいて前記番組の内容を理解するための特定画像を抽出することを特徴とする請求項２１記載の信号記録再生方法。
【請求項２４】
前記特定画像抽出工程は、再生時にユーザの入力に応じた画像に基づいて前記番組の内容を理解するための特定画像を抽出することを特徴とする請求項２１記載の信号記録再生方法。
【請求項２５】
前記特定画像抽出工程で抽出された前記特定画像のデータに表示のための処理を施す特定画像処理工程をさらに備え、前記再生制御工程は前記特定画像処理工程にて表示のための処理が施された前記特定画像データの表示に対するユーザの選択に応じて前記番組のデータの前記再生データ処理工程による再生を制御することを特徴とする請求項２１記載の信号記録再生方法。
【請求項２６】
映像信号及び音声信号よりなる番組を記録媒体に記録すると共に再生する信号記録再生装置に実行される信号記録再生プログラムを記録している媒体において、
少なくとも前記番組のデータに記録のための処理を施して前記記録媒体に記録する記録データ処理工程と、
前記記録媒体から前記番組のデータを読み出して再生処理を施す再生データ処理工程と、
前記再生データ処理工程からの前記番組データから前記番組の内容を理解するための特定画像を抽出する特定画像抽出工程と、
前記特定画像抽出工程で抽出された前記特定画像の少なくとも補助情報を基に、前記番組のデータの前記再生データ処理工程による再生を制御する再生制御工程と
を備えることを特徴とする信号記録再生プログラムを記録している媒体。
【請求項２７】
映像信号及び音声信号よりなる番組を記録媒体に記録すると共に再生する信号記録再生装置において、
前記番組の代表画像を生成する代表画像生成手段と、
前記代表画像生成手段で生成された前記代表画像のデータと、前記番組のデータとに記録のための処理を施す記録データ処理手段と、
前記記録媒体から前記番組のデータと前記代表画像のデータとを読み出して再生処理を施す再生データ処理手段と、
前記再生データ処理手段が前記記録媒体から再生した前記代表画像のデータからユーザが選択した画像に相似した特定画像を抽出する特定画像抽出手段と、
前記特定画像抽出手段で抽出された前記特定画像の少なくとも補助情報を基に、前記番組のデータの前記再生データ処理手段による再生を制御する再生制御手段と
を備えることを特徴とする信号記録再生装置。
【請求項２８】
前記再生制御手段は、前記特定画像のデータのうちのユーザの入力に応じた特定画像データに対応する前記番組のデータを前記再生データ処理手段に自動再生させることを特徴とする請求項２７記載の信号記録再生装置。
【請求項２９】
前記特定画像抽出手段は、再生時にユーザの入力に応じた情報に基づいて前記番組の内容を理解するための特定画像を抽出することを特徴とする請求項２７記載の信号記録再生装置。
【請求項３０】
前記特定画像抽出手段は、再生時にユーザの入力に応じた画像に基づいて前記番組の内容を理解するための特定画像を抽出することを特徴とする請求項２７記載の信号記録再生装置。
【請求項３１】
前記特定画像抽出手段で抽出された前記特定画像に表示のための処理を施す特定画像処理手段をさらに備え、前記再生制御手段は前記特定画像処理手段にて表示のための処理が施された前記特定画像データの表示に対するユーザの選択に応じて前記番組のデータの前記再生データ処理手段による再生を制御することを特徴とする請求項２７記載の信号記録再生装置。
【請求項３２】
映像信号及び音声信号よりなる番組を記録媒体に記録すると共に再生するための信号記録再生方法において、
前記番組の代表画像を生成する代表画像生成工程と、
前記代表画像生成工程で生成された前記代表画像のデータと、前記番組のデータとに記録のための処理を施す記録データ処理工程と、
前記記録媒体から前記番組のデータと前記代表画像のデータとを読み出して再生処理を施す再生データ処理工程と、
前記再生データ処理工程が前記記録媒体から再生した前記代表画像のデータからユーザが選択した画像に相似した特定画像を抽出する特定画像抽出工程と、
前記特定画像抽出工程で抽出された前記特定画像の少なくとも補助情報を基に、前記番組のデータの前記再生データ処理手段による再生を制御する再生制御工程と
を備えることを特徴とする信号記録再生方法。
【請求項３３】
前記再生制御工程は、前記特定画像のデータのうちのユーザによって所望された特定画像データに対応する前記番組のデータを前記再生データ処理工程に自動再生させることを特徴とする請求項３２記載の信号記録再生方法。
【請求項３４】
前記特定画像抽出工程は、再生時にユーザの入力に応じた情報に基づいて前記番組の内容を理解するための特定画像を抽出することを特徴とする請求項３２記載の信号記録再生方法。
【請求項３５】
前記特定画像抽出工程は、再生時にユーザの入力に応じた画像に基づいて前記番組の内容を理解するための特定画像を抽出することを特徴とする請求項３２記載の信号記録再生方法。
【請求項３６】
前記特定画像抽出工程で抽出された前記特定画像に表示のための処理を施す特定画像処理工程をさらに備え、前記再生制御工程は前記特定画像処理工程にて表示のための処理が施された前記特定画像データの表示に対するユーザの選択に応じて前記番組のデータの前記再生データ処理工程による再生を制御することを特徴とする請求項３２記載の信号記録再生方法。
【請求項３７】
映像信号及び音声信号よりなる番組を記録媒体に記録すると共に再生する信号記録再生装置によって実行される信号記録再生プログラムを記録している媒体において、
前記番組の代表画像を生成する代表画像生成工程と、
前記代表画像生成工程で生成された前記代表画像のデータと、前記番組のデータとに記録のための処理を施す記録データ処理工程と、
前記記録媒体から前記番組のデータと前記代表画像のデータとを読み出して再生処理を施す再生データ処理工程と、
前記再生データ処理工程が前記記録媒体から再生した前記代表画像のデータからユーザが選択した画像に相似した特定画像を抽出する特定画像抽出工程と、
前記特定画像抽出工程で抽出された前記特定画像の少なくとも補助情報を基に、前記番組のデータの前記再生データ処理手段による再生を制御する再生制御工程と
を備えることを特徴とする信号記録再生プログラムを記録している媒体。